(57)【要約】【課題】ＰｏＣの付加機能を実現する付加データを、ＰｏＣプロトコルに則って配信するＰｏＣデータ送信方法を提供する。【解決手段】送信側の端末（ＰｏＣクライアント１）からＰｏＣプロトコルに基づいてＰｏＣサーバに送信される第1のメッセージに付加データ（設定情報）を付加し、ＰｏＣクライアント１からＰｏＣサーバに、この第1のメッセージと共に設定情報を送信する第１のステップと、第1のメッセージを受信したＰｏＣサーバからＰｏＣプロトコルに基づいて一または複数の受信側の端末（ＰｏＣクライアント２，３）に送信される第２のメッセージに前記設定情報を付加し、ＰｏＣサーバからＰｏＣクライアント２，３に、第２のメッセージと共に設定情報を送信する第２のステップとを有している。このＰｏＣデータ送信方法では、ＰｏＣプロトコルの下で送信されるメッセージを利用して、付加データの送信が行われ、ＰｏＣの付加機能が実現される。【選択図】図４
2007201916.tif 000002
【特許請求の範囲】
【請求項１】
送信側の端末からＰｏＣプロトコルに基づいてＰｏＣサーバに送信される第１のメッセージに付加データを付加し、送信側の端末から前記ＰｏＣサーバに、前記第１のメッセージと共に前記付加データを送信する第１のステップと、
前記第１のメッセージを受信した前記ＰｏＣサーバからＰｏＣプロトコルに基づいて一または複数の受信側の端末に送信される第２のメッセージに前記付加データを付加し、前記ＰｏＣサーバから受信側の端末に、前記第２のメッセージと共に前記付加データを送信する第２のステップと、
を有するＰｏＣデータ送信方法。
【請求項２】
請求項１に記載のＰｏＣデータ送信方法であって、
前記第１のメッセージ及び第２のメッセージが、ＰｏＣプロトコルに基づいてセッションの開始、変更または終了の際に送信されるメッセージであるＰｏＣデータ送信方法。
【請求項３】
請求項２に記載のＰｏＣデータ送信方法であって、
前記第１のメッセージ及び第２のメッセージが、ＳＩＰメッセージであるＰｏＣデータ送信方法。
【請求項４】
請求項３に記載のＰｏＣデータ送信方法であって、
前記第１のメッセージが通話開始要求（ＩＮＶＩＴＥ）メッセージであり、前記第２のメッセージが前記ＰｏＣサーバから転送される通話開始要求（ＩＮＶＩＴＥ）メッセージであるＰｏＣデータ送信方法。
【請求項５】
請求項３に記載のＰｏＣデータ送信方法であって、
前記第１のメッセージがＰｏＣ開始通知（ＲＥＧＩＳＴＥＲ）メッセージであり、前記第２のメッセージが前記ＰｏＣサーバから転送される通話開始要求（ＩＮＶＩＴＥ）メッセージであるＰｏＣデータ送信方法。
【請求項６】
請求項３に記載のＰｏＣデータ送信方法であって、
前記第１のメッセージが通話開始応答（ＩＮＶＩＴＥ応答）メッセージであり、前記第２のメッセージがプレゼンス情報通知（ＮＯＴＩＦＹ）メッセージであるＰｏＣデータ送信方法。
【請求項７】
請求項３に記載のＰｏＣデータ送信方法であって、
前記第１のメッセージが、通話拒否通知（ＢＵＳＹ）または通話離脱通知（ＢＹＥ）のメッセージであり、前記第２のメッセージがプレゼンス情報通知（ＮＯＴＩＦＹ）メッセージであるＰｏＣデータ送信方法。
【請求項８】
請求項１に記載のＰｏＣデータ送信方法であって、
前記第１のメッセージが、発言権を取得する端末から前記ＰｏＣサーバに送信されるメッセージであり、前記第２のメッセージが、発言権が取得されたことを伝える前記ＰｏＣサーバから他の端末に送信されるメッセージであるＰｏＣデータ送信方法。
【請求項９】
請求項８に記載のＰｏＣデータ送信方法であって、
前記第１のメッセージ及び第２のメッセージがＲＴＣＰパケットで送信され、前記付加データを含むＳＤＥＳパケットが前記ＲＴＣＰパケットに付加されて送信されるＰｏＣデータ送信方法。
【請求項１０】
付加データを入力または指定する入力部と、
ＰｏＣプロトコルに基づいてＰｏＣサーバに送信するメッセージに前記付加データを付加する付加メッセージ生成部と、
前記ＰｏＣサーバからＰｏＣプロトコルに基づいて送られて来るメッセージに付加されたデータを表示する表示部と、
を有する携帯端末。
【請求項１１】
送信側の端末からＰｏＣプロトコルに基づいて送られて来るメッセージに付加された付加データを解析する付加メッセージ処理部と、
ＰｏＣプロトコルに基づいて一または複数の受信側の端末に送信するメッセージに前記付加データを付加する付加メッセージ生成部と、
を有するＰｏＣサーバ。
【請求項１２】
送信側の端末からＰｏＣサーバに、付加データを付加した第１のメッセージがＰｏＣプロトコルに基づいて送信され、前記ＰｏＣサーバから受信側の端末に、前記付加データを付加した第２のメッセージがＰｏＣプロトコルに基づいて送信されるＰｏＣ通話システムにおいて、
送信側の端末が、セッションの開始時に、前記付加データとして、発言可能な端末と傍聴のみ可能な端末とを指定する情報を送信し、前記送信側の端末によって、発言可能な端末と傍聴のみ可能な端末とが指定されるＰｏＣ通話システム。
【請求項１３】
送信側の端末からＰｏＣサーバに、付加データを付加した第１のメッセージがＰｏＣプロトコルに基づいて送信され、前記ＰｏＣサーバから受信側の端末に、前記付加データを付加した第２のメッセージがＰｏＣプロトコルに基づいて送信されるＰｏＣ通話システムにおいて、
ＰｏＣ通話への参加を拒否する端末またはＰｏＣ通話から離脱する端末が、前記付加データとして、参加拒否理由または離脱理由の情報を送信し、前記付加データを受信した端末が、送られた参加拒否理由または離脱理由を表示するＰｏＣ通話システム。
【請求項１４】
送信側の端末からＰｏＣサーバに、付加データを付加した第１のメッセージがＰｏＣプロトコルに基づいて送信され、前記ＰｏＣサーバから受信側の端末に、前記付加データを付加した第２のメッセージがＰｏＣプロトコルに基づいて送信されるＰｏＣ通話システムにおいて、
送信側の端末が、セッションの開始時または発言権の取得時に、前記付加データとして、確認音のデータを送信し、受信側の端末は、前記送信側の端末の動作を確認する確認音として、前記送信側の端末から送られた確認音を使用するＰｏＣ通話システム。
【請求項１５】
送信側の端末からＰｏＣサーバに、付加データを付加した第１のメッセージがＰｏＣプロトコルに基づいて送信され、前記ＰｏＣサーバから受信側の端末に、前記付加データを付加した第２のメッセージがＰｏＣプロトコルに基づいて送信されるＰｏＣ通話システムにおいて、
送信側の端末が、セッションの開始時に、前記付加データとして、ユーザーアイコンまたはＢＧＭ音楽データを送信し、受信側の端末は、前記送信側の端末が発言権を取得したときに、前記送信側の端末から送られたユーザーアイコンまたはＢＧＭを表示するＰｏＣ通話システム。
【請求項１６】
送信側の端末からＰｏＣサーバに、付加データを付加した第１のメッセージがＰｏＣプロトコルに基づいて送信され、前記ＰｏＣサーバから受信側の端末に、前記付加データを付加した第２のメッセージがＰｏＣプロトコルに基づいて送信されるＰｏＣ通話システムにおいて、
送信側の端末が、発言権の取得時に、前記付加データとして、オリジナルメッセージを送信し、受信側の端末は、前記送信側の端末が発言権を維持している間、前記送信側の端末から送られた前記オリジナルメッセージを表示するＰｏＣ通話システム。
【請求項１７】
送信側の端末からＰｏＣサーバに、付加データを付加した第１のメッセージがＰｏＣプロトコルに基づいて送信され、前記ＰｏＣサーバから受信側の端末に、前記付加データを付加した第２のメッセージがＰｏＣプロトコルに基づいて送信されるＰｏＣ通話システムにおいて、
送信側の端末が、発言権の取得時に、前記付加データとして、複数のアイコンの中から選択したアイコンを送信し、受信側の端末は、前記送信側の端末が発言権を維持している間、前記送信側の端末から送られたアイコンを表示するＰｏＣ通話システム。
【請求項１８】
送信側の端末からＰｏＣサーバに、付加データを付加した第１のメッセージがＰｏＣプロトコルに基づいて送信され、前記ＰｏＣサーバから受信側の端末に、前記付加データを付加した第２のメッセージがＰｏＣプロトコルに基づいて送信されるＰｏＣ通話システムにおいて、
送信側の端末が、発言権の取得時に、前記付加データとして、発言権開放時刻の情報を送信し、受信側の端末は、前記送信側の端末から送られた発言権開放時刻の情報に基づいてカウントダウンを表示するＰｏＣ通話システム。
【発明の詳細な説明】
【技術分野】
【０００１】
本発明は、ＰｏＣ（Push-to-Talk over Cellular）のプロトコルに則って付加データを配信するＰｏＣデータ送信方法と、その方法を実施するシステム及び装置に関し、付加データの配信によりＰｏＣ通話の付加機能を実現するものである。
【背景技術】
【０００２】
トランシーバや業務用無線機は、その端末に備わる発話用ボタンを押下した状態で発話し、このボタンを解放した状態で他の話者から送られた発話内容を音声出力するＰＴＴ（Push-to-Talk）機能を備えているが、このＰＴＴ機能を携帯電話で実現したものがＰｏＣである。
【０００３】
ＰｏＣ機能を持つ携帯電話は、例えば電話帳から一または複数の通話相手を選び、携帯電話に備わる専用の通話ボタンを押下・解放することにより、ＰｏＣサーバを介して、一または複数の相手と半二重通信でのＰｏＣ通話を行うことができる。
【０００４】
図１７は、ＰｏＣ通話システムの概念図を示し、図１８は、ＰｏＣ通話システムのセッション開始時のシーケンス、また、図１９は、発言権確保のシーケンスを示している。このシステムは、ＰＴＴ機能を装備した携帯端末２１、２２、２３と、ＰｏＣ制御機能を有するＰｏＣサーバ１０と、携帯電話網４０とで構成されている。
【０００５】
ＰｏＣサーバ１０は、ＰｏＣ制御機能として、ＳＩＰ（Session Initiation Protocol）によるセッション処理（例えばＳＩＰセッション開始、変更、終了など）や、発言統制等の機能を実行する。
【０００６】
端末２１、２２、２３は、ＰｏＣサーバ１０の制御の下にセッションを確立し、ＰｏＣサーバ１０から発言権を得た端末だけが音声データを送信する。他の端末は、発言権が得られるまでは、受信した音声データの出力処理だけを行う。
【０００７】
図１８は、ＰｏＣサーバ１０のＳＩＰセッション処理を受けて、端末２１、２２、２３のセッションが開始される時のシーケンスを示している。
【０００８】
各端末２１、２２、２３は、ＰｏＣサーバ１０に対して事前にＰｏＣ開始通知（ＲＥＧＩＳＴＥＲ）（１）（２）（３）を行う。
【０００９】
ユーザーＡが、例えば端末２１の電話帳からユーザーＢ及びユーザーＣを選び、端末２１の発信ボタンを押すと、そのメンバーに対する通話開始要求（ＩＮＶＩＴＥ）（４）がＰｏＣサーバ１０に送信され、ＰｏＣサーバ１０からユーザーＢの端末２２及びユーザーＣの端末２３に、それぞれ通話開始要求メッセージ（５）（６）が転送される。
【００１０】
通話開始要求メッセージを受信した端末２２から、ユーザーＢが通話に応じる操作を行うと、リクエスト成功の通話開始応答（ＩＮＶＩＴＥ応答）（７）が端末２２からＰｏＣサーバ１０に送信され、ＰｏＣサーバ１０から端末２１に転送される（８）。また、ＰｏＣサーバ１０は、端末２２の参加を示すプレゼンス情報通知（ＮＯＴＩＦＹ）（９）（１０）を、端末２３と端末２１とに送信する。
【００１１】
通話開始要求メッセージを受信した端末２３から、ユーザーＣが通話に応じる操作を行った場合も同様の手順が行われる。一方、ユーザーＣが通話に応じない操作を行った場合は、通話拒否通知（ＢＵＳＹ）（１１）が端末２３からＰｏＣサーバ１０に送信され、ＰｏＣサーバ１０は、端末２３の不参加を示すプレゼンス情報通知（ＮＯＴＩＦＹ）（１２）（１３）を端末２１と端末２２とに送信する。
【００１２】
また、図１９は、ＰｏＣサーバ１０の発言統制の下で、端末２１、２２、２３が発言権を確保する際のシーケンスを示している。
【００１３】
ＰｏＣ仕様では、前述するように、セッションの開始・終了にＳＩＰプロトコルを使用し（図１８の場合）、通話中の音声データのやり取りに、データ転送プロトコルであるＲＴＰ（Real-time Transport Protocol）と、ＲＴＰでデータを送受信するためのセッションを制御するＲＴＣＰ（RTP Control Protocol）とを使用している（図１９の場合）。ＰｏＣ中での発言権の取得／被取得情報のやり取りはＲＴＣＰを用いて行われる。すなわち、ＰｏＣプロトコルは、ＳＩＰ、ＲＴＰ、ＲＴＣＰを含む。
【００１４】
発言権を求めるユーザーＡが端末２１の通話ボタンを押すと、端末２１からＰｏＣサーバ１０に発言権取得要求（Floor Request）（２１）のＲＴＣＰパケットが送信される。発言権を管理するＰｏＣサーバ１０は、発言権が未付与である場合に、端末２１に対して発言権取得通知（Floor Grant）（２２）を送り、「発言権付与済」という発言権のステータスを記憶し、端末２２及び端末２３に対して発言権被取得通知（Floor Taken）（２３）（２４）を送信する。
【００１５】
発言権を得たユーザーＡは、通話ボタンを押したまま端末２１から音声を入力する。音声データはＲＴＰパケットに生成されてＰｏＣサーバ１０に送られ（２５）（２８）、ＰｏＣサーバ１０から端末２２及び端末２３に転送される（２６）（２７）（２９）（３０）。
【００１６】
このとき、端末２１、２２、２３の画面には、図２０に例示するように、ＰｏＣ通話中を示す表示や、発言者、参加者の情報が表示される。
【００１７】
ユーザーＡが端末２１の通話ボタンを放すと、端末２１からＰｏＣサーバ１０に発言権開放要求（Floor Rlease）（３１）のＲＴＣＰパケットが送信される。これを受けたＰｏＣサーバ１０は、端末２１に対して発言権開放通知（Floor Idle）（３２）を送り、発言権のステータスを「発言権未付与」に更新し、端末２２及び端末２３に対して発言権開放通知（Floor Idle）（３３）（３４）を送信する。
【００１８】
また、ＰｏＣサーバ１０は、「発言権付与済」の期間中に他の端末から発言権取得要求（Floor Request）を受信した場合は、これを拒否する。
【非特許文献１】Push-to-Talk over Cellular (PoC)-Architecture-2.0.8、第６頁
【発明の開示】
【発明が解決しようとする課題】
【００１９】
しかし、ＰｏＣシステムの仕様は、端末間での音声データの送受信をサポートしているだけであり、データ、映像、サウンド等の送受信には対応していない。そのため、図１８及び図１９のシーケンスの中で、例えば、発言可能な端末と傍聴のみ可能な端末とを指定する情報を送信したり、発言時の感情を表現するアイコンを各端末に送信したりすることはできない。
【００２０】
もしも、発言可能な端末と傍聴のみ可能な端末との指定情報をＰｏＣ通話の開始時に各端末に配信することができるならば、グループ間の会話を適切にコントロールすることが可能になり、また、発言権の取得時に発言者の感情を表すアイコンを各端末に配信することができるならば、ＰｏＣ通話の表現の幅を広げることが可能になる。
【００２１】
このように、付加データの配信は、ＰｏＣの付加機能の拡充を可能にする。
【００２２】
ＰｏＣ通話で利用するデータをＰｏＣ通話の開始前にインターネットメールやＳＭＳ（Short Massage Service）等の別手段で受信側に送ることは可能であるが、これらの方法では、受信データの内容をＰｏＣ通話に反映させる受信側ユーザー（ＰｏＣクライアント）の処理が必要であり、ＰｏＣクライアントの負担が大きい。また、これらのデータ送信方法では、ＰｏＣ通話の開始／終了、発言権取得等のタイミングに同期させてデータを送ったり、そのタイミングでデータを自動的に利用したりすることができない。
【００２３】
本発明は、こうした事情に鑑みて創案したものであり、ＰｏＣの付加機能を実現する付加データを、ＰｏＣプロトコルに則って配信するＰｏＣデータ送信方法を提供し、また、その方法を実行して、ＰｏＣの各種の付加機能を実現するシステム及び装置を提供することを目的としている。
【課題を解決するための手段】
【００２４】
本発明のＰｏＣデータ送信方法は、送信側の端末からＰｏＣプロトコルに基づいてＰｏＣサーバに送信される第１のメッセージに付加データを付加し、送信側の端末からＰｏＣサーバに、この第１のメッセージと共に付加データを送信する第１のステップと、第１のメッセージを受信したＰｏＣサーバからＰｏＣプロトコルに基づいて一または複数の受信側の端末に送信される第２のメッセージに前記付加データを付加し、ＰｏＣサーバから受信側の端末に、第２のメッセージと共に前記付加データを送信する第２のステップとを有している。
【００２５】
このＰｏＣデータ送信方法では、ＰｏＣプロトコルの下で送信されるメッセージを利用して、端末間での付加データの配信が行われる。
【００２６】
また、本発明のＰｏＣデータ送信方法では、セッションの開始、変更または終了の際に送信されるＳＩＰメッセージを利用することが可能である。
【００２７】
また、本発明のＰｏＣデータ送信方法では、前記第１のメッセージとして通話開始要求（ＩＮＶＩＴＥ）メッセージを使用し、前記第２のメッセージとしてＰｏＣサーバから転送される通話開始要求（ＩＮＶＩＴＥ）メッセージを使用することができる。
【００２８】
また、本発明のＰｏＣデータ送信方法では、前記第１のメッセージとしてＰｏＣ開始通知（ＲＥＧＩＳＴＥＲ）メッセージを使用し、前記第２のメッセージとしてＰｏＣサーバから転送される通話開始要求（ＩＮＶＩＴＥ）メッセージを使用することができる。
【００２９】
また、本発明のＰｏＣデータ送信方法では、前記第１のメッセージとして通話開始応答（ＩＮＶＩＴＥ応答）メッセージを使用し、前記第２のメッセージとしてプレゼンス情報通知（ＮＯＴＩＦＹ）メッセージを使用することができる。
【００３０】
また、本発明のＰｏＣデータ送信方法では、前記第１のメッセージとして、通話拒否通知（ＢＵＳＹ）または通話離脱通知（ＢＹＥ）のメッセージを使用し、前記第２のメッセージとしてプレゼンス情報通知（ＮＯＴＩＦＹ）メッセージを使用することができる。
【００３１】
また、本発明のＰｏＣデータ送信方法では、前記第１のメッセージとして、発言権を取得する端末からＰｏＣサーバに送信されるメッセージを使用し、前記第２のメッセージとして、発言権が取得されたことを伝えるＰｏＣサーバから他の端末に送信されるメッセージを使用することができる。
【００３２】
また、本発明のＰｏＣデータ送信方法では、前記第１のメッセージ及び第２のメッセージをＲＴＣＰパケットで送信し、付加データを含むＳＤＥＳパケットを前記ＲＴＣＰパケットに付加して送信することができる。
【００３３】
また、本発明の携帯端末は、付加データを入力または指定する入力部と、ＰｏＣプロトコルに基づいてＰｏＣサーバに送信するメッセージに前記付加データを付加する付加メッセージ生成部と、ＰｏＣサーバからＰｏＣプロトコルに基づいて送られて来るメッセージに付加されたデータを表示する表示部とを有している。
【００３４】
この携帯端末は、付加データを利用するＰｏＣ通話の付加機能を実現できる。
【００３５】
また、本発明のＰｏＣサーバは、送信側の端末からＰｏＣプロトコルに基づいて送られて来るメッセージに付加された付加データを解析する付加メッセージ処理部と、ＰｏＣプロトコルに基づいて一または複数の受信側の端末に送信するメッセージに前記付加データを付加する付加メッセージ生成部とを有している。
【００３６】
このＰｏＣサーバは、端末間での付加データの配信を仲介する。
【００３７】
また、本発明のＰｏＣ通話システムは、送信側の端末からＰｏＣサーバに、付加データを付加した第１のメッセージがＰｏＣプロトコルに基づいて送信され、ＰｏＣサーバから受信側の端末に、前記付加データを付加した第２のメッセージがＰｏＣプロトコルに基づいて送信されるＰｏＣ通話システムであって、送信側の端末が、セッションの開始時に、前記付加データとして、発言可能な端末と傍聴のみ可能な端末とを指定する情報を送信することにより、発言可能な端末と傍聴のみ可能な端末とを指定できるようにしている。
【００３８】
このシステムでは、発信側のユーザーがグループ間の会話をコントロールすることができる。
【００３９】
また、本発明のＰｏＣ通話システムでは、ＰｏＣ通話への参加を拒否する端末またはＰｏＣ通話から離脱する端末が、前記付加データとして、参加拒否理由または離脱理由の情報を送信し、前記付加データを受信した端末が、送られた参加拒否理由または離脱理由を表示するようにしている。
【００４０】
このシステムでは、詳しい参加拒否理由や離脱理由を参加者に知らせることができる。
【００４１】
また、本発明のＰｏＣ通話システムでは、送信側の端末が、セッションの開始時または発言権の取得時に、前記付加データとして、確認音のデータを送信し、受信側の端末は、前記送信側の端末の動作を確認する確認音として、前記送信側の端末から送られた確認音を使用する。
【００４２】
このシステムでは、確認音を聞くだけで、対象の端末を判別することができる。
【００４３】
また、本発明のＰｏＣ通話システムでは、送信側の端末が、セッションの開始時に、前記付加データとして、ユーザーアイコンまたはＢＧＭ音楽データを送信し、受信側の端末は、その送信側の端末が発言権を取得したときに、その送信側の端末から送られたユーザーアイコンまたはＢＧＭを表示する。
【００４４】
このシステムでは、参加者の各端末において、発言中のユーザーに対応するアイコンやＢＧＭが表示される。
【００４５】
また、本発明のＰｏＣ通話システムでは、送信側の端末が、発言権の取得時に、前記付加データとして、オリジナルメッセージを送信し、受信側の端末は、その送信側の端末が発言権を維持している間、送信側の端末から送られた前記オリジナルメッセージを表示する。
【００４６】
このシステムでは、聞き漏れや聞き間違いを無くす手段としてオリジナルメッセージを使用することができる。
【００４７】
また、本発明のＰｏＣ通話システムでは、送信側の端末が、発言権の取得時に、前記付加データとして、複数のアイコンの中から選択したアイコンを送信し、受信側の端末は、その送信側の端末が発言権を維持している間、送信側の端末から送られたアイコンを表示する。
【００４８】
このシステムでは、楽しい話題のときは笑顔のアイコンを受信側端末に表示し、悲しい話題のときは悲しい顔のアイコンを受信側端末に表示することなどが可能であり、ＰｏＣ通話の表現の幅を広げることができる。
【００４９】
また、本発明のＰｏＣ通話システムでは、送信側の端末が、発言権の取得時に、前記付加データとして、発言権開放時刻の情報を送信し、受信側の端末は、送信側の端末から送られた発言権開放時刻の情報に基づいてカウントダウンを表示する。
【００５０】
このシステムでは、前の発言の終了から、間を置かずに次の発言者が発言権を取得して発言することが可能になり、スムースな会話が実現できる。
【発明の効果】
【００５１】
本発明では、ＰｏＣの付加機能を実現する付加データを、ＰｏＣプロトコルに則って配信することができ、それにより、ユーザーに負担を強いること無く、ＰｏＣの機能を拡充し、ＰｏＣ通話の表現の幅を広げることができる。
【発明を実施するための最良の形態】
【００５２】
本発明の実施形態における携帯端末の構成を図１に、ＰｏＣサーバの構成を図２に示している。
【００５３】
携帯端末２０は、従来のＰｏＣ機能の他に、送信情報に付加データや付加メッセージを加えるとともに、受信情報の付加データや付加メッセージに基づく処理を行う新規機能を備えている。図１は、携帯端末２０の新規機能に係わる構成ブロックを示しており、入力部３３と、付加メッセージ（データ）生成部３２と、付加メッセージ（データ）保持部３４と、送受信部３１と、出力デバイス３５（表示部３６及びスピーカ３７）とを有している。
【００５４】
入力部３３からは、付加データや付加メッセージ、あるいは、それらを指定する指定情報が入力される。
【００５５】
付加メッセージ（データ）生成部３２は、入力部３３からの入力情報に基づいて付加データや付加メッセージを生成し、あるいは、付加メッセージ（データ）保持部３４から付加データや付加メッセージを読み出し、ＰｏＣサーバ１０への送信情報に付加する。
【００５６】
付加メッセージ（データ）保持部３４は、付加メッセージ（データ）生成部３２で生成された付加データや付加メッセージを保持する。
【００５７】
送受信部３１は、付加メッセージ（データ）生成部３２が作成した送信情報をＰｏＣサーバ１２に送信し、ＰｏＣサーバ１２からの受信情報を出力デバイス３５に出力する。
【００５８】
出力デバイス３５は、受信情報に付加された付加データや付加メッセージを表示する表示部３６、音声データである、または音声データに変換された付加データ、付加メッセージを出力するスピーカ３７を含む。
【００５９】
また、ＰｏＣサーバ１０は、従来のＰｏＣ制御機能の他に、携帯端末２０から送られた情報に付加されている付加データや付加メッセージを、他の携帯端末への送信情報に付加する新規機能を備えている。図２は、ＰｏＣサーバ１０の新規機能に係わる構成ブロックを示しており、受信部１１と、付加メッセージ（データ）処理部１２と、付加メッセージ（データ）記憶部１３と、付加メッセージ（データ）生成部１４と、送信部１５とを有している。
【００６０】
受信部１１は、携帯端末２０からの送信情報を受信する。
【００６１】
付加メッセージ（データ）処理部１２は、受信情報に付加された付加データや付加メッセージを解析する。
【００６２】
付加メッセージ（データ）記憶部１３は、付加データや付加メッセージをデータ送信元情報と結び付けて保持する。
【００６３】
付加メッセージ（データ）生成部１４は、付加データや付加メッセージを付加した、携帯端末２０への送信情報を生成する。
【００６４】
送信部１５は、付加メッセージ（データ）生成部１４が生成した送信情報を携帯端末２０に送信する。
【００６５】
このＰｏＣ通話システムの概念図は、図１７と同じであり、端末２１、２２、２３は、図１の構成を有し、ＰｏＣサーバ１０は図２の構成を有している。
【００６６】
また、携帯端末２０及びＰｏＣサーバ１０間の通信手順は、従来システムのシーケンスと同じであり、そこで交信される情報に付加データや付加メッセージが付加されている点が従来と違っている。
【００６７】
以下、付加データや付加メッセージの内容、それらを付加した送信情報の送信タイミング、及び、付加データや付加メッセージの付加により実現されるＰｏＣ通話の付加機能について説明する。
【００６８】
（第１の実施形態）
本発明の第１の実施形態では、特定のＰｏＣ通話において、発言可能な端末と傍聴のみ可能な端末とを指定する付加機能について説明する。
【００６９】
例えば、図１７のユーザーＡは、端末２１の電話帳からユーザーＢ及びユーザーＣのグループを選び、入力部３３から、ユーザーＢを発言可能なクライアント、ユーザーＣを傍聴のみ可能なクライアントと指定する。これを受けて、付加メッセージ（データ）生成部３２は、ユーザーＢの端末２２を発言可能端末、ユーザーＣの端末２３を発言不可端末とする設定情報を付加データとして作成し、付加メッセージ（データ）保持部３４に格納する。
【００７０】
ユーザーＡが端末２１の発信ボタンを押すと、付加メッセージ（データ）生成部３２は、ＰｏＣサーバ１０に送信する通話開始要求（ＩＮＶＩＴＥ）メッセージ（図１８の（４））に、付加メッセージ（データ）保持部３４で保持された設定情報を付加する。送受信部３１は、付加データが加えられた通話開始要求（ＩＮＶＩＴＥ）メッセージをＰｏＣサーバ１０に送信する。
【００７１】
前述するように、ＰｏＣ仕様では、セッションの開始・終了にＳＩＰプロトコルが使用されており、ＳＩＰメッセージである通話開始要求（ＩＮＶＩＴＥ）メッセージは、図３に例示するように、送信元や送信先の情報を含むヘッダ部と、メッセージ本体のボディ部とで構成されている。ＳＩＰメッセージでは、ＨＴＴＰと同じように「マルチパート」という形で複数種類のメッセージを一度に送信することが可能であり、付加メッセージ（データ）生成部３２で生成された付加データは、通話開始要求（ＩＮＶＩＴＥ）メッセージのボディ部に記述されてＰｏＣサーバ１０に送られる。図３では、ボディ部３が付加データを表している。
【００７２】
この通話開始要求（ＩＮＶＩＴＥ）メッセージを受信したＰｏＣサーバ１０では、付加メッセージ（データ）処理部１２がメッセージを解析し、端末２１からの付加データとして「端末２２：発言可能端末、端末２３：発言不可端末」とする設定情報を付加メッセージ（データ）記憶部１３に記録する。
【００７３】
通話開始要求（ＩＮＶＩＴＥ）を受信したＰｏＣサーバ１０は、図１８に示すように、通話開始要求（ＩＮＶＩＴＥ）を端末２２及び端末２３に転送するが、付加メッセージ（データ）生成部１４は、端末２２及び端末２３に送る通話開始要求（ＩＮＶＩＴＥ）メッセージ（図１８の（５）、（６））に対して、付加メッセージ（データ）記憶部１３に記録した付加データを付加する。
【００７４】
端末２２及び端末２３がＰｏＣサーバ１０から送られた通話開始要求（ＩＮＶＩＴＥ）を受信することにより、発信者により指定された設定情報が端末２２及び端末２３に伝えられる。
【００７５】
端末２２及び端末２３は、この設定情報を表示部３６に表示するとともに、端末２１を発信者とする今回のＰｏＣ通話に対して、設定情報に基づく通話設定を行う。そのため、端末２３は、通話の傍聴だけが可能になり、ユーザーＣが発言権取得の操作を行った場合は、例えば警告を表示して、発言できないことを知らせる。
【００７６】
図４は、付加データの伝達からＰｏＣ通話の付加機能の設定に至るまでの順序を模式的に示している。
【００７７】
１）通話開始時に発信側のＰｏＣクライアントは、ＰｏＣクライアント２、３に対する設定情報をＰｏＣサーバに送信する。
２）ＰｏＣサーバは、着信側のＰｏＣクライアント２、３に対して設定値を送る。
３）着信側のＰｏＣクライアント２、３は、設定値に従って通話設定を行う。
こうして、発信者は、発言可能な端末と傍聴のみ可能な端末とを設定して、グループ間の会話をコントロールすることができる。
【００７８】
なお、ここでは、発信側ＰｏＣクライアントが、付加データを通話開始要求（ＩＮＶＩＴＥ）（図１８の（４））に付加してＰｏＣサーバに送る場合について説明したが、付加データを、ＳＩＰメッセージのＰｏＣ開始通知（ＲＥＧＩＳＴＥＲ）メッセージ（図１８の（１））に付加してＰｏＣサーバに送ることも可能である。この場合、その後のＰｏＣサーバ及び着信側ＰｏＣクライアントの動作は変わりがない。
【００７９】
また、ここでは、発信側ＰｏＣクライアントが、設定情報として、着信側ＰｏＣクライアントの発言可・不可を設定する場合について説明したが、それだけに限らず、発信側ＰｏＣクライアントは、ＳＩＰメッセージの「マルチパート」を活用して、通話開始要求（ＩＮＶＩＴＥ）やＰｏＣ開始通知（ＲＥＧＩＳＴＥＲ）のメッセージに「テキスト」「画像」「ＭＩＤＩ（Musical Instruments Digital Interface）データ」等の各種データを付加することにより、開始するＰｏＣ通話でのみ有効となる各種設定を、同様の方法で実現することができる。
【００８０】
（第２の実施形態）
本発明の第２の実施形態では、ＰｏＣ通話への参加を拒否する際や、ＰｏＣ通話から離脱する際に、詳細な参加拒否理由や離脱理由の通知を可能にする付加機能について説明する。
【００８１】
従来のＰｏＣ通話でも、通話を拒否する場合に、ＰｏＣ仕様で決められた「運転中」「タイムアウト」等の極めて大雑把な拒否理由を通知することはできるが、例えば、「電車で移動中」等の詳細な参加拒否理由を伝えることはできなかった。
【００８２】
この実施形態のＰｏＣ通話システムでは、例えば、通話開始要求（ＩＮＶＩＴＥ）（図１８の（６））を受信した端末２３のユーザーＣがＰｏＣ通話に参加しない場合に、ユーザーＣは、端末２３の入力部３３から通話拒否の理由（例えば「電車で移動中」）を文字あるいは音声で入力する。端末２３の付加メッセージ（データ）生成部３２は、通話拒否の理由が書かれたテキストデータや、通話拒否の理由が録音された音声データを付加データとして通話拒否通知（ＢＵＳＹ）メッセージ（図１８の（１１））に付加する。なお、この通話拒否通知（ＢＵＳＹ）メッセージに対しても、通話開始要求（ＩＮＶＩＴＥ）メッセージと同様に、ボディ部にマルチパート形式でデータを付加することができる。
【００８３】
端末２３の送受信部３１は、付加データが加えられた通話拒否通知をＰｏＣサーバ１０に送信する。
【００８４】
この通話拒否通知（ＢＵＳＹ）メッセージを受信したＰｏＣサーバ１０では、付加メッセージ（データ）処理部１２がメッセージを解析し、付加されたテキストデータや音声データを端末２３からの情報として付加メッセージ（データ）記憶部１３に記録する。
【００８５】
通話拒否通知（ＢＵＳＹ）を受信したＰｏＣサーバ１０は、図１８に示すように、プレゼンス情報通知（ＮＯＴＩＦＹ）（１２、１３）を端末２１及び端末２２に、ほぼリアルタイムで送信するが、付加メッセージ（データ）生成部１４は、このプレゼンス情報通知（ＮＯＴＩＦＹ）に対して、付加メッセージ（データ）記憶部１３に記録されたテキストデータや音声データを付加する。
【００８６】
なお、プレゼンス情報通知（ＮＯＴＩＦＹ）は、参加者のプレゼンス状態が変更したときにＰｏＣサーバ１０から送信され、プレゼンス情報通知（ＮＯＴＩＦＹ）メッセージには、参加者のプレゼンス情報がＸＭＬ形式で記述される。ＸＭＬ形式はテキストベースであるため、付加メッセージ（データ）生成部１４は、プレゼンス情報通知（ＮＯＴＩＦＹ）に対して、テキストデータを付加する場合に、コーディング方式（いずれかの機械可読形式）で記述し、音声・画像などのバイナリデータを付加する場合に、ＢＡＳＥ６４でテキストエンコードして記述する。
【００８７】
付加データが付加されたプレゼンス情報通知（ＮＯＴＩＦＹ）（図１８の（１２）（１３））を受信した端末２１及び端末２２は、ＸＭＬ中の付加データを抽出し、端末２３の詳細な参加拒否理由を再生して、表示部３６またはスピーカ３７から表示する。
【００８８】
また、参加者が途中でＰｏＣ通話のグループから離脱する場合は、離脱する参加者の端末から通話離脱通知（ＢＹＥ）メッセージがＰｏＣサーバ１０に送信され、ＰｏＣサーバ１０から、その参加者の離脱を通知するプレゼンス情報通知（ＮＯＴＩＦＹ）が他の参加者に通知される。
【００８９】
いま、ユーザーＣが、参加中のＰｏＣ通話グループから離脱するものとすると、図１８のシーケンスにおいて、端末２３から、通話拒否通知（ＢＵＳＹ）（１１）の代わりに、通話離脱通知（ＢＹＥ）メッセージがＰｏＣサーバ１０に送信され、ＰｏＣサーバ１０から、端末２１に対してプレゼンス情報通知（ＮＯＴＩＦＹ）（１２）が、また、端末２２に対してプレゼンス情報通知（ＮＯＴＩＦＹ）（１３）が送信される。
【００９０】
従って、このＰｏＣ通話システムでは、ユーザーＣが、端末２３の入力部３３から離脱の理由や離脱の挨拶（例えば「客が来たので離脱します」「バイバイ」等）を文字あるいは音声で入力すると、通話拒否の場合と同様の手順で、それら付加データがＳＩＰメッセージの通話離脱通知（ＢＹＥ）メッセージに付加され、さらに、プレゼンス情報通知（ＮＯＴＩＦＹ）（１２）（１３）に付加されて、端末２１及び端末２２に伝えられ、端末２１及び端末２２の表示部３６またはスピーカ３７から表示される。
【００９１】
図５（ａ）は、このＰｏＣ通話システムにおける各端末２１〜２３の表示部３６の表示を例示している。また、図５（ｂ）は、比較のため、従来のＰｏＣ通話システムでの表示を示している。
【００９２】
図５（ｂ）の画面で表示されるユーザーＣの「運転中」の表示は、予めＰｏＣクライアント内でＳＩＰメッセージのレスポンスコードに対応付けされたメッセージを表示しているだけであり、従来の仕様では、ユーザーがこのメッセージを変更することはできない。また、ユーザーＤの「離脱」は、ＰｏＣ通話から離れた場合に表示するメッセージであり、これも同様にユーザーがメッセージを変更することはできない
【００９３】
これに対して、この実施形態のＰｏＣ通話システムでは、図５（ａ）に示すように、通話拒否の理由や離脱の理由等をユーザーが自由に編集して通知することができるため、ＰｏＣの使い勝手が向上する。
【００９４】
なお、一対一での通話中に、その一方がＢＹＥ要求メッセージを送信して通話を終了したとき、ＰｏＣサーバが、通話相手のいなくなったＰｏＣクライアントにＰｏＣ通話終了を通知し、これを受けてＰｏＣクライアントがＰｏＣ通話を終了するようなＰｏＣ通話システムでは、ＰｏＣクライアントに対し、付加データを加えたプレゼンス情報通知（ＮＯＴＩＦＹ）メッセージを送信することができないことになる。
【００９５】
しかし、この場合は、ＰｏＣサーバが、ＰｏＣ通話終了の通知に、一方の端末から受信した付加データ付きＢＹＥ要求メッセージのボディ部をそのまま加えて、ＰｏＣクライアントの端末に送信することで解決できる。
【００９６】
（第３の実施形態）
本発明の第３の実施形態では、動作した端末を確認音の違いにより識別可能にする付加機能について説明する。
【００９７】
従来のＰｏＣ通話システムでは、例えばユーザーＢが発言権を取得すると、図１９に示すように、ＰｏＣサーバ１０からユーザーＡの端末２１及びユーザーＣの端末２３に発言権被取得通知が送信され、これを受信した端末２１は、端末２１において予め設定されている確認音を発生し、また、端末２３は、端末２３において予め設定されている確認音を発生する。
【００９８】
従って、端末２１では、ユーザーＢが発言権を取得した場合も、ユーザーＣが発言権を取得した場合も同じ確認音が鳴動するため、ユーザーＡは、確認音だけでは発言権取得者を特定することができず、表示部の表示を見て発言権取得者を確認する必要があった。
【００９９】
この実施形態のＰｏＣ通話システムでは、ユーザーＢが発言権を取得した場合に、ユーザーＢの端末２２に設定されている確認音が、端末２２だけで無く、ユーザーＡの端末２１及びユーザーＣの端末２３にも発生し、ユーザーＣが発言権を取得した場合に、ユーザーＣの端末２３に設定されている確認音が、端末２３だけで無く、ユーザーＡの端末２１及びユーザーＢの端末２２にも発生するように構成している。そのため、確認音により発言権取得者を特定することができる。
【０１００】
各端末２１、２２、２３で設定されている確認音の音データを各端末間で交換するため、発信者であるユーザーＡの端末２１は、設定されている確認音の音データ（あるいは端末に格納されている確認音の指定情報）を付加データとし、通話開始要求（ＩＮＶＩＴＥ）メッセージ（図１８の（４））、または、ＰｏＣ開始通知（ＲＥＧＩＳＴＥＲ）メッセージ（図１８の（１））に付加してＰｏＣサーバ１０に送信する。ＰｏＣサーバ１０は、この付加データを、端末２２に送る通話開始要求（ＩＮＶＩＴＥ）メッセージ（図１８の（５））及び端末２３に送る通話開始要求（ＩＮＶＩＴＥ）メッセージ（図１８の（６））に付加して送信する。そのため、端末２２及び端末２３は、端末２１に設定されている確認音の音データを取得することができる。
【０１０１】
一方、端末２２は、端末２２で設定されている確認音の音データを付加データとし、通話開始応答（ＩＮＶＩＴＥ応答）メッセージ（図１８の（７））に付加してＰｏＣサーバ１０に送信する。ＰｏＣサーバ１０は、この付加データを、端末２３に送信するプレゼンス情報通知（ＮＯＴＩＦＹ）（９）、及び、端末２１に送信するプレゼンス情報通知（ＮＯＴＩＦＹ）（１０）に付加して送信する。そのため、端末２１及び端末２３は、端末２２に設定されている確認音の音データを取得することができる。
【０１０２】
また、ＰｏＣ通話に参加するユーザーＣの端末２３も、端末２２と同様に、端末２３で設定されている確認音の音データを付加データとし、通話開始応答（ＩＮＶＩＴＥ応答）メッセージに付加してＰｏＣサーバ１０に送信する。ＰｏＣサーバ１０は、この付加データを端末２１及び端末２２に送信するプレゼンス情報通知（ＮＯＴＩＦＹ）に付加して送信する。そのため、端末２１及び端末２２は、端末２３に設定されている確認音の音データを取得することができる。
【０１０３】
この確認音には、発言権取得の際の確認音（取得音）だけでなく、発言権開放時の確認音（開放音）や、切断時の確認音（切断音）なども含めることができる。
【０１０４】
他の端末で設定されている確認音の音データを取得した端末は、ＰｏＣサーバ１０から、発言権被取得通知（Floor Taken）（図１９の（２３）（２４））や発言権開放通知（Floor Idle）（図１９の（３３）（３４））を受信したとき、また、離脱のプレゼンス情報通知（ＮＯＴＩＦＹ）を受信したときに、発言権取得端末、発言権開放端末、あるいは離脱端末で設定されている確認音を鳴動する。そのため、ユーザーは、確認音を聞くだけで、動作した端末を識別することができる。
【０１０５】
図６は、確認音による端末識別の付加機能について説明する図である。
【０１０６】
いま、端末１が（ａ）、端末２が（ｂ）、そして、端末３が（ｃ）の音設定をしていたとする。
【０１０７】
従来のＰｏＣ仕様では、端末１が発言権を取得した場合に、端末２では「発言権取得音２」が鳴動し、端末３では「発言権取得音３」が鳴動する。このため、誰が発言権を取ったかを確認するためには、ＰｏＣ通話中の画面を確認する以外に方法がない。
【０１０８】
これに対して、この実施形態のＰｏＣ通話システムでは、端末１が発言権を取得した場合に、端末２及び端末３では「発言権取得音１」が鳴動し、端末２が発言権を取得した場合に、端末１及び端末３では「発言権取得音２」が鳴動する。そのため、この音を聞くだけで誰が発言権を取得したかが分かる。
【０１０９】
なお、このように発言者ごとに音を変えることは、各ユーザーの端末において、他の端末と鳴動音との対応付けを行い、発言権取得端末に対応付けた音を鳴動させることでも実現は可能である。しかし、こうした方法では、新しいＰｏＣ通話対象者が増える度に設定を追加していく必要があるため、設定が煩わしい。この実施形態のＰｏＣ通話システムでは、こうした手間を掛けずに、発言者が誰であるかを音だけで判別することができる。
【０１１０】
（第４の実施形態）
本発明の第４の実施形態では、各ユーザーの端末から配信されたユーザーアイコンを当該ユーザーに対応付けて表示する付加機能について説明する。
【０１１１】
従来のＰｏＣ通話システムでは、例えば、ユーザーＡが、自己の端末２１において、ユーザーＢに対応するユーザーアイコンやユーザーＣに対応するユーザーアイコンを設定することで、端末２１の画面に、ユーザーＢが発言権を取得しているときにユーザーＢ対応のユーザーアイコンを表示させ、ユーザーＣが発言権を取得しているときにユーザーＣ対応のユーザーアイコンを表示させることができる。
【０１１２】
この実施形態のＰｏＣ通話システムでは、こうした他のユーザーに対応するユーザーアイコンの設定操作を行わなくても、ユーザーＡの端末２１に、ユーザーＢの端末２２からユーザーＢ用のアイコンデータが配信され、ユーザーＣの端末２３からユーザーＣ用のアイコンデータが配信される。同様に、ユーザーＢの端末２２には、ユーザーＡの端末２１からユーザーＡ用のアイコンデータが配信され、ユーザーＣの端末２３からユーザーＣ用のアイコンデータが配信される。また、ユーザーＣの端末２３には、ユーザーＡの端末２１からユーザーＡ用のアイコンデータが配信され、ユーザーＢの端末２２からユーザーＢ用のアイコンデータが配信される。
【０１１３】
このアイコンデータの配信は、第３の実施形態で示した確認音の情報と同様の手順で行われる。
【０１１４】
図７は、ユーザーアイコン配信の付加機能について説明する図である。ユーザーＡが発言権を取得すると、各端末の画面には、「発言者：ユーザーＡ」の表示とともにユーザーＡのアイコンが表示される。
【０１１５】
従来のＰｏＣ通話システムでは、発言権を取得した人のアイコンデータを表示するためには、予めこのアイコンデータとユーザーとの対応を設定しておく必要がある。
【０１１６】
この実施形態のＰｏＣ通話システムでは、このアイコンデータをＰｏＣ通話開始時に送信し、ＰｏＣ通話中端末に表示できるようにすることで、端末での、対応づけの手間を省くことができる。
【０１１７】
また、ここではユーザーアイコンの配信について説明したが、同じように、各ユーザーが設定したＢＧＭのＭＩＤＩ音楽データを各端末間で配信し、各端末２１〜２３のスピーカ３７から、ユーザーＡが発言権を取得しているときはユーザーＡの設定したＢＧＭが流れ、ユーザーＢが発言権を取得しているときはユーザーＢの設定したＢＧＭが流れる、と言うように、発言権を取得したユーザーごとにＢＧＭを変えることも可能である。
【０１１８】
（第５の実施形態）
本発明の第５の実施形態では、通話参加者の端末の能力を端末同士で交換し、各端末でサポートされた機能のみを使ってＰｏＣ通話を行う付加機能について説明する。
【０１１９】
端末は、第１〜第４の実施形態に示す各種の付加機能などを加えてバージョンアップが図られる。しかし、実際に使用される端末には、全ての付加機能に対応するものや、その一部の機能だけに対応するものなど、種々の能力の端末が含まれており、バージョンの差が存在する。
【０１２０】
この実施形態のＰｏＣ通話システムでは、通話参加者の各端末が、ＰｏＣ通話の開始時に能力情報を交換し、いずれかの端末でサポートされていない機能はオフにしてＰｏＣ通話を実行する。
【０１２１】
能力情報の交換は、第３の実施形態で示した確認音の情報の配信と同様の手順で行われる。
【０１２２】
図８は、能力交換による付加機能について説明する図である。
【０１２３】
端末１には、機能Ａ、機能Ｂ、機能Ｃが実装され、端末２には、機能Ａ、機能Ｃ、機能Ｄが実装され、また、端末３には、機能Ａのみが実装されているとする。
【０１２４】
（場面１）端末１と端末２が通話を開始する場合、両端末が共に有する機能Ａ及び機能Ｃのみが有効になる。
（場面２）場面１の状態で端末３が通話に加わると、端末１、端末２、端末３が共に有する機能Ａのみが有効になる。
【０１２５】
このように、ＰｏＣ通話開始時にＰｏＣクライアントの持つ機能をＰｏＣ通話参加者同士で交換し、ＰｏＣ通話参加者がサポートしていない機能をオフにすることで、ＰｏＣクライアントのバージョンの差を無くすことができる。これにより、ＰｏＣクライアントのバージョンアップが行われたとしても、上位互換性を保つことができ、新旧のＰｏＣクライアント同士での通話を保障することができる。
【０１２６】
（第６の実施形態）
本発明の第６の実施形態では、発言権を取得しようとする発言者のオリジナルメッセージを各端末に配信する付加機能について説明する。
【０１２７】
このＰｏＣ通話システムでは、発言の際にオリジナルメッセージ（例えば、参加者に知らせる電話番号など）を他のユーザーに伝えようとするユーザーＡは、自己の端末２１の入力部３３からオリジナルメッセージを入力した後、端末２１の通話ボタンを押下して発言権を取得する。
【０１２８】
この操作で、図１９に示すように、端末２１からＰｏＣサーバ１０に、オリジナルメッセージの付加された発言権取得要求（Floor Request）（２１）が送信される。
【０１２９】
前述するように、ＰｏＣ仕様では、発言権の取得要求がＲＴＣＰを用いて行われる。発言権取得要求（Floor Request）のＲＴＣＰパケットは、図９（ａ）に示すデータ構造を有しており、各パラメータが図９（ｂ）のように設定されるが、このＰｏＣ通話システムでは、図１０に示すように、発言権取得要求（Floor Request）のＲＴＣＰパケットにＳＤＥＳ（Source Description）パケットが付加されて、「複合ＲＴＣＰパケット」の形でＰｏＣサーバ１０に送信される。この複合ＲＴＣＰパケットの各パラメータを図１１に示している。
【０１３０】
ＳＤＥＳパケットは、参加者のメールアドレスや電話番号を通知するためのもので、図１２に示す構造を有し、その中に、アプリケーションが独自に定義できるＰＲＩＶ（Private）領域を備えている。
【０１３１】
端末２１の付加メッセージ（データ）生成部３２は、入力部３３から入力されたオリジナルメッセージをＳＤＥＳパケットのＰＲＩＶ領域に書き込み、このＳＤＥＳパケットを発言権取得要求（Floor Request）のＲＴＣＰパケットに付加する。こうして得られた発言権取得要求（Floor Request）が送受信部３１からＰｏＣサーバ１０に送信される。
【０１３２】
この発言権取得要求（Floor Request）を受信したＰｏＣサーバ１０では、付加メッセージ（データ）処理部１２が受信データを解析し、発言権取得要求（Floor Request）に付加されているＳＤＥＳ情報を付加メッセージ（データ）記憶部１３に記録する。
【０１３３】
発言権取得要求（Floor Request）を受信したＰｏＣサーバ１０は、図１９に示すように、発言権被取得通知（Floor Taken）を他の端末に送信するが、付加メッセージ（データ）生成部１４は、端末２２及び端末２３に送る発言権被取得通知（Floor Taken）（図１９の（２３）、（２４））に対して、付加メッセージ（データ）記憶部１３に記録されたＳＤＥＳ情報を付加し、発言権被取得通知（Floor Taken）とＳＤＥＳ情報との「複合ＲＴＣＰパケット」が端末２２及び端末２３に送信される。
【０１３４】
端末２２及び端末２３がＰｏＣサーバ１０から送られた発言権被取得通知（Floor Taken）を受信することにより、発信者のオリジナルメッセージは、端末２２及び端末２３に伝えられる。端末２２及び端末２３は、このオリジナルメッセージを表示部３６に表示する。
【０１３５】
図１３（ａ）は、このＰｏＣ通話システムにおける端末２２、２３の表示部３６の表示を例示している。また、図１３（ｂ）は、比較のため、従来のＰｏＣ通話システムでの表示を示している。
【０１３６】
図１３（ｂ）の場合は、発言者が参加者に情報を伝える手段は音声のみであるため、ユーザーＡが「０４５−９９９９−９９９９に電話して。」と発言しても、聞き逃しや聞き違いなどのミスが発生する。
【０１３７】
図１３（ａ）の場合には、発言権取得時にテキストデータを送信／表示できるので、ユーザーＡは「今送った電話番号の０４５−９９９９−９９９９に電話して。」と発言することにより、聞き逃しや聞き違いなどのミスを防ぐことができる。そのため、ＰｏＣでのコミュニケーションがよりスムースになる。
【０１３８】
（第７の実施形態）
本発明の第７の実施形態では、発言時の感情を表現したアイコンを各端末に配信する付加機能について説明する。
【０１３９】
このＰｏＣ通話システムの各端末２１〜２３は、付加メッセージ（データ）保持部３４に、予め、笑い顔や悲しい顔などの感情を表したアイコンを複数保持している。
【０１４０】
例えば、ユーザーＡは、楽しい話題を発言する場合に、端末２１の入力部３３から笑い顔のアイコンを番号で指定して、端末２１の通話ボタンを押下する。
【０１４１】
端末２１の付加メッセージ（データ）生成部３２は、入力部３３から指定されたアイコンデータを付加メッセージ（データ）保持部３４から読み出してＳＤＥＳパケットのＰＲＩＶ領域に書き込む。
【０１４２】
このＳＤＥＳパケットは、第６の実施形態のオリジナルメッセージと同様に、発言権取得要求（Floor Request）パケットに付加されてＰｏＣサーバ１０に送信され、また、発言権被取得通知（Floor Taken）パケットに付加されてＰｏＣサーバ１０から端末２２、２３に送信される。端末２２及び端末２３は、ＳＤＥＳパケットで送られたアイコンを表示部３６に表示する。
【０１４３】
図１４は、ユーザーＡが「可笑しい」アイコンを指定して発言権を取得したとき、そのアイコンが参加者全員の端末に送付され、各端末の画面に表示される様子を示している。こうしたアイコンの表示により、ＰｏＣ通話中の表現の幅を広げることができる。
【０１４４】
（第８の実施形態）
本発明の第８の実施形態では、ＰｏＣ通話への参加中に撮影した写真を各端末に配信する付加機能について説明する。
【０１４５】
このＰｏＣ通話システムの各端末２１〜２３はカメラ機能を具備しており、ユーザーが写真を撮影した後、端末の通話ボタンを押下することによって、撮影した画像を他の端末に送信することができる。この場合の画像データの送信手順は、第６の実施形態のオリジナルメッセージや第７の実施形態のアイコンデータと同じである。
【０１４６】
図１５は、ユーザーＡが写真を撮った後、発言権を取得して画像を送信したときに、その画像が表示された受信側端末の画面を例示している。このように、ＰｏＣ通話中に撮影した写真の表示を可能にすることでＰｏＣ通話の表現の幅が広がる。
【０１４７】
（第９の実施形態）
本発明の第９の実施形態では、発言権取得時に発言権開放時刻を各端末に通知する付加機能について説明する。
【０１４８】
このＰｏＣ通話システムでは、発言権を取得しようとするユーザーが、予定している発言権開放時刻を端末の入力部３３から入力した後、端末の通話ボタンを押下する。
【０１４９】
入力された発言権開放時刻は、第６の実施形態のオリジナルメッセージと同じ手順で他のユーザーの端末に送信される。
【０１５０】
発言権開放時刻を受信した端末は、発言権終了までのカウントダウンを表示し、カウントが０の時点で鳴動する。このＰｏＣ通話システムでは、前の発言の終了から、間を置かずに次の発言者が発言権を取得して発言することが可能であり、スムースな会話が実現できる。
【０１５１】
（第１０の実施形態）
本発明の第１０の実施形態では、発言権取得時の操作に応じて受信側端末の確認音を変更する付加機能について説明する。
【０１５２】
このＰｏＣ通話システムでは、例えば、ユーザーＡが、端末２１の入力部３３から特別の操作を行わずに、通話ボタンを押下して発言権を取得すると、ＰｏＣサーバ１０から発言権被取得通知（Floor Taken）を受信した端末２２、２３は、発言者の表示をユーザーＡに変えるとともに、各端末が通常使用している確認音を鳴動する。
【０１５３】
一方、ユーザーＡが、端末２１の入力部３３から確認音を指定して通話ボタンを押下すると、端末２１の付加メッセージ（データ）生成部３２は、入力部３３より指定された確認音の音データを付加メッセージ（データ）保持部３４から読み出して、ＳＤＥＳパケットのＰＲＩＶ領域に書き込み、このＳＤＥＳパケットを発言権取得要求（Floor Request）パケットに付加してＰｏＣサーバ１０に送信する。
【０１５４】
この確認音の音データは、第６の実施形態のオリジナルメッセージと同様に、発言権被取得通知（Floor Taken）に付加されてＰｏＣサーバ１０から端末２２及び端末２３に送信される。
【０１５５】
発言権被取得通知（Floor Taken）を受信した端末２２及び端末２３は、発言者の表示をユーザーＡに変えるとともに、付加された確認音の音データを再生する。
【０１５６】
図１６は、この付加機能を説明する図である。図１６（ａ）は、ユーザーＡが確認音を指定せずに発言権を取得した場合を示しており、このときには確認音データが受信側に送られず、受信側の端末では、通常使用している発言権取得音が鳴動する。
【０１５７】
図１６（ｂ）は、ユーザーＡが確認音の指定操作を行った後に発言権を取得した場合を示しており、このときには確認音データが受信側に送られ、このデータに基づいて「ピンポーン」という音が受信側の端末で再生される。こうすることで、ＰｏＣ通話中の表現の幅を広げることができる。
【０１５８】
以上、本発明の各種実施形態を説明したが、本発明は前記実施形態において示された事項に限定されず、明細書の記載、並びに周知の技術に基づいて、当業者がその変更・応用することも本発明の予定するところであり、保護を求める範囲に含まれる。
【産業上の利用可能性】
【０１５９】
本発明は、ＰｏＣシステムや、その装置、ＰｏＣシステムでのデータ送信方法に適用して、ＰｏＣシステムの機能拡充を可能にするものであり、使い勝手の良いＰｏＣシステムを実現する上で極めて有用である。
【図面の簡単な説明】
【０１６０】
【図１】本発明の実施形態における携帯端末の構成を示すブロック図
【図２】本発明の実施形態におけるＰｏＣサーバの構成を示すブロック図
【図３】本発明の第１の実施形態における通話開始要求（ＩＮＶＩＴＥ）のデータ構成例
【図４】本発明の第１の実施形態における付加機能の説明図
【図５】本発明の第２の実施形態における付加機能の説明図
【図６】本発明の第３の実施形態における付加機能の説明図
【図７】本発明の第４の実施形態における付加機能の説明図
【図８】本発明の第５の実施形態における付加機能の説明図
【図９】発言権取得要求（Floor Request）のデータ構造を示す図
【図１０】本発明の第６の実施形態における発言権取得要求（Floor Request）のデータ構造を示す図
【図１１】図１０の発言権取得要求（Floor Request）のパラメータを示す図
【図１２】ＳＤＥＳパケットの構造を示す図
【図１３】本発明の第６の実施形態における付加機能の説明図
【図１４】本発明の第７の実施形態における付加機能の説明図
【図１５】本発明の第８の実施形態における付加機能の説明図
【図１６】本発明の第１０の実施形態における付加機能の説明図
【図１７】ＰｏＣシステムの概念図
【図１８】ＰｏＣシステムでのセッション開始時のシーケンスを示す図
【図１９】ＰｏＣシステムでの発言権確保のシーケンスを示す図
【図２０】ＰｏＣ通話中の端末の画面を示す図
【符号の説明】
【０１６１】
１０  ＰｏＣサーバ
１１  受信部
１２  付加メッセージ（データ）処理部
１３  付加メッセージ（データ）記憶部
１４  付加メッセージ（データ）生成部
１５  送信部
２０  端末
２１  端末
２２  端末
２３  端末
３１  送受信部
３２  付加メッセージ（データ）生成部
３３  入力部
３４  付加メッセージ（データ）保持部
３５  出力デバイス
３６  表示部
３７  スピーカ
４０  携帯電話網
【図１】
2007201916.tif 000003
【図２】
2007201916.tif 000004
【図３】
2007201916.tif 000005
【図４】
2007201916.tif 000006
【図５】
2007201916.tif 000007
【図６】
2007201916.tif 000008
【図７】
2007201916.tif 000009
【図８】
2007201916.tif 000010
【図９】
2007201916.tif 000011
【図１０】
2007201916.tif 000012
【図１１】
2007201916.tif 000013
【図１２】
2007201916.tif 000014
【図１３】
2007201916.tif 000015
【図１４】
2007201916.tif 000016
【図１５】
2007201916.tif 000017
【図１６】
2007201916.tif 000018
【図１７】
2007201916.tif 000019
【図１８】
2007201916.tif 000020
【図１９】
2007201916.tif 000021
【図２０】
2007201916.tif 000022